(57)【要約】【課題】  施工現場での作業効率を向上することが可能な太陽電池パネルの施工方法を提供する。【解決手段】  太陽電池の施工方法は、（ａ）複数の太陽電池パネル１を屋根２に固定するステップと、（ｂ）複数の太陽電池パネル１のうちの隣り合う太陽電池パネル１の間に、その隙間を覆い、電気的に接続するように保護板３０を設置するステップとを具備する。太陽電池パネル１は、光により発電する太陽電池モジュール１２と、太陽電池モジュールを囲うように設けられ、導電性を有するフレーム１０とを備える。保護板３０は、フレーム１０において隣り合う太陽電池パネル１を電気的に接続する。【選択図】      図２
2006057321.tif 000002
【特許請求の範囲】
【請求項１】
（ａ）複数の太陽電池パネルを屋根に固定するステップと、
（ｂ）前記複数の太陽電池パネルのうちの隣り合う太陽電池パネルの間に、前記隣り合う太陽電池パネルの隙間を覆い、電気的に接続するように保護板を設置するステップと
を具備し、
前記太陽電池パネルは、
光により発電する太陽電池モジュールと、
前記太陽電池モジュールを囲うように設けられ、導電性を有するフレームと
を備え、
前記保護板は、前記フレームにおいて前記隣り合う太陽電池パネルを電気的に接続する
太陽電池の施工方法。
【請求項２】
請求項１に記載の太陽電池の施工方法において、
（ｃ）前記保護板で電気的に接続された複数の太陽電池パネルの組同士を、接地用ケーブルで電気的に接続するステップと
を更に具備し、
前記接地用ケーブルは、
接地に接続されるケーブルと、
前記ケーブルの途中に電気的に接続された複数の端子と
を備え、
前記複数の端子の各々は、
前記組の中の一つの太陽電池パネルにおける前記フレームに嵌合し、電気的に接続される嵌合部と、
前記嵌合部と前記ケーブルとを接続する圧着端子部と
を含む
太陽電池の施工方法。
【請求項３】
請求項１又は２に記載の太陽電池の施工方法において、
（ｄ）前記複数の太陽電池パネルを準備するステップと、
ここで、前記太陽電池パネルは、
前記フレームが、前記太陽電池パネルを屋根に固定するとき前記太陽電池モジュールの接続ケーブルを通すために設けられた切り欠き部を有し、
（ｅ）前記複数の太陽電池パネル用の接続ケーブルを屋根上に敷設するステップと、
（ｇ）前記複数の太陽電池パネルに前記接続ケーブルを接続し、前記切り欠き部に通して、前記複数の太陽電池パネルを前記屋根上に乗せるステップと
を更に具備する
太陽電池の施工方法。
【請求項４】
請求項１乃至３のいずれか一項に記載の太陽電池の施工方法において、
前記接続ケーブルは、
第１ケーブルと、
第２ケーブルと、
前記第１ケーブルと前記第２ケーブルとを結束する複数の結束バンドと
を具備し、
前記第１ケーブルは、
前記複数の太陽電池パネルのプラス電極用の第３ケーブルと、
前記複数の太陽電池パネルのマイナス電極用の第４ケーブルと、
一端を前記第３ケーブルに接続され、他端を前記複数の太陽電池パネルのうちの複数の第１太陽電池パネルのプラス電極に接続される複数の第５ケーブルと、
一端を前記第４ケーブルに接続され、他端を前記複数の太陽電池パネルのうちの前記複数の第１太陽電池パネルとは異なる複数の第２太陽電池パネルのマイナス電極に接続される複数の第６ケーブルと
を備え、
前記第２ケーブルは、隣り合う前記第１太陽電池パネルのマイナス電極と前記第２太陽電池パネルのプラス電極とに接続される
太陽電池の施工方法。
【請求項５】
請求項１乃至４のいずれか一項に記載の太陽電池の施工方法において、
前記フレームは、矩形形状であり、一方の長辺の中央部と他方の長辺の中央部とを、所定の距離以上に離れないように結合する補強部材を備える
太陽電池の施工方法。
【請求項６】
（ｈ）複数の太陽電池パネルを屋根に並べて固定するステップと、
（ｉ）前記複数の太陽電池パネルに、接地用ケーブルを電気的に接続するステップと
を具備し、
前記太陽電池パネルは、
光により発電する太陽電池モジュールと、
前記太陽電池モジュールを囲うように設けられ、導電性のフレームと
を備え、
前記接地用ケーブルは、
接地に接続されるケーブルと、
前記ケーブルの途中に電気的に接続された複数の端子と
を備え、
前記複数の端子の各々は、
前記フレームに嵌合し、電気的に接続される嵌合部と、
前記嵌合部と前記ケーブルとを接続する圧着端子部と
を含む
太陽電池の施工方法。
【請求項７】
（ｊ）複数の太陽電池パネルを準備するステップと、
ここで、前記太陽電池パネルは、
光により発電する太陽電池モジュールと、
前記太陽電池モジュールを囲うように設けられ導電性を有するフレームと
を備え、
前記フレームは、前記太陽電池パネルを屋根に固定するとき、前記太陽電池モジュールの配線が通りやすいように設けられた切り欠き部を有し、
（ｋ）前記複数の太陽電池パネル用の配線を屋根上に敷設するステップと、
（ｌ）前記複数の太陽電池パネルに前記配線を接続し、前記配線を前記切り欠き部に通して、前記複数の太陽電池パネルを前記屋根上に固定するステップと
を具備する
太陽電池の施工方法。
【請求項８】
（ｍ）複数の太陽電池パネル用の配線として接続ケーブルを屋根上に敷設するステップと、
ここで、前記接続ケーブルは、
第１ケーブルと、
第２ケーブルと、
前記第１ケーブルと前記第２ケーブルとを結束する複数の結束バンドと
を具備し、
前記第１ケーブルは、
前記複数の太陽電池パネルのプラス電極用の第３ケーブルと、
前記複数の太陽電池パネルのマイナス電極用の第４ケーブルと、
一端を前記第３ケーブルに接続され、他端を前記複数の太陽電池パネルのうちの複数の第１太陽電池パネルのプラス電極に接続される複数の第５ケーブルと、
一端を前記第４ケーブルに接続され、他端を前記複数の太陽電池パネルのうちの前記複数の第１太陽電池パネルとは異なる複数の第２太陽電池パネルのマイナス電極に接続される複数の第６ケーブルと
を備え、
前記第２ケーブルは、隣り合う前記第１太陽電池パネルのマイナス電極と前記第２太陽電池パネルのプラス電極とに接続され、
（ｎ）前記複数の太陽電池パネルに前記接続ケーブルを接続し、前記複数の太陽電池パネルを前記屋根上に固定するステップと
を具備する
太陽電池の施工方法。
【請求項９】
（ｏ）複数の太陽電池パネルを準備するステップと、
ここで、前記太陽電池パネルは、
光により発電する太陽電池モジュールと、
太陽電池モジュールを囲うように設けられ、矩形形状の導電性のフレームと、
前記フレームの一方の長辺の中央部と他方の長辺の中央部とを、所定の距離以上に離れないように結合する補強部材と
を備え、
（ｐ）前記複数の太陽電池パネルを屋根上に固定するステップと
を具備する
太陽電池の施工方法。
【請求項１０】
屋根に固定された複数の太陽電池パネルと、
前記複数の太陽電池パネルのうちの隣り合う太陽電池パネルの間の隙間を覆うように設けられた保護板と
を具備し、
前記太陽電池パネルは、
光により発電する太陽電池モジュールと、
前記太陽電池モジュールを囲うように設けられ、導電性のフレームと
を備え、
前記保護板は、
導電性の平板と、
前記平板の一方の面に設けられた結合部と
を備え、
前記平板は、前記フレームに電気的に接続され、前記結合部は、前記二つの太陽電池パネルの少なくとも一方の前記フレームに結合する
太陽電池システム。
【請求項１１】
請求項１０に記載の太陽電池システムにおいて、
前記保護板で電気的に接続された複数の太陽電池パネルの組同士を電気的に接続する接地用ケーブルを更に具備し、
前記接地用ケーブルは、
接地に接続されるケーブルと、
前記ケーブルの途中に電気的に接続された複数の端子と
を備え、
前記複数の端子の各々は、
前記組の中の一つの太陽電池パネルにおける前記フレームに嵌合し、電気的に接続される嵌合部と、
前記嵌合部と前記ケーブルとを接続する圧着端子部と
を備える
太陽電池システム。
【請求項１２】
請求項１０又は１１に記載の太陽電池システムにおいて、
前記フレームは、前記太陽電池パネルを屋根に固定するとき前記太陽電池モジュールの接続ケーブルを通すために設けられた切り欠き部を有する
太陽電池システム。
【請求項１３】
請求項１０乃至１２のいずれか一項に記載の太陽電池システムにおいて、
前記複数の太陽電池パネルの各々における端子箱に接続された前記接続ケーブルを更に具備し、
前記接続ケーブルは、
第１ケーブルと、
第２ケーブルと、
前記第１ケーブルと前記第２ケーブルとを結束する複数の結束バンドと
を備え、
前記第１ケーブルは、
前記複数の太陽電池パネルのプラス電極用の第３ケーブルと、
前記複数の太陽電池パネルのマイナス電極用の第４ケーブルと、
一端を前記第３ケーブルに接続され、他端を前記複数の太陽電池パネルのうちの複数の第１太陽電池パネルのプラス電極に接続される複数の第５ケーブルと、
一端を前記第４ケーブルに接続され、他端を前記複数の太陽電池パネルのうちの前記複数の第１太陽電池パネルとは異なる複数の第２太陽電池パネルのマイナス電極に接続される複数の第６ケーブルと
を含み、
前記第２ケーブルは、隣り合う前記第１太陽電池パネルのマイナス電極と前記第２太陽電池パネルのプラス電極とを接続される
太陽電池システム。
【請求項１４】
請求項１０乃至１３のいずれか一項に記載の太陽電池システムにおいて、
前記フレームは、矩形形状であり、一方の長辺の中央部と他方の長辺の中央部とを、所定の距離以上に離れないように結合する補強部材とを備える
太陽電池システム。
【請求項１５】
屋根に固定されて並んだ複数の太陽電池パネルと、
前記複数の太陽電池パネルの各々に接続され、接地に接続された接地用ケーブルと
を具備し、
前記太陽電池パネルは、
光により発電する太陽電池モジュールと、
前記太陽電池モジュールを囲うように設けられ、導電性のフレームと
を備え、
前記接地用ケーブルは、
接地に接続されるケーブルと、
前記ケーブルの途中に電気的に接続された複数の端子と
を備え、
前記複数の端子の各々は、
前記フレームに嵌合する嵌合部と、
前記嵌合部と前記ケーブルとを接続する圧着端子部と
を含む
太陽電池システム。
【請求項１６】
屋根に固定されて並んだ複数の太陽電池パネルと、
前記複数の太陽電池パネルの各々における端子箱に接続された接続ケーブルと
を具備し、
前記接続ケーブルは、
第１ケーブルと、
第２ケーブルと、
前記第１ケーブルと前記第２ケーブルとを結束する複数の結束バンドと
を備え、
前記第１ケーブルは、
前記複数の太陽電池パネルのプラス電極用の第３ケーブルと、
前記複数の太陽電池パネルのマイナス電極用の第４ケーブルと、
一端を前記第３ケーブルに接続され、他端を前記複数の太陽電池パネルのうちの複数の第１太陽電池パネルのプラス電極に接続される複数の第５ケーブルと、
一端を前記第４ケーブルに接続され、他端を前記複数の太陽電池パネルのうちの前記複数の第１太陽電池パネルとは異なる複数の第２太陽電池パネルのマイナス電極に接続される複数の第６ケーブルと
を含み、
前記第２ケーブルは、隣り合う前記第１太陽電池パネルのマイナス電極と前記第２太陽電池パネルのプラス電極とを接続される
太陽電池システム。
【請求項１７】
光により発電する太陽電池モジュールと、
太陽電池モジュールを囲うように設けられ、導電性のフレームと
を具備し、
前記フレームは、前記フレームを屋根に固定するとき前記太陽電池モジュールの配線を通すために設けられた切り欠き部を有する
太陽電池パネル。
【請求項１８】
光により発電する太陽電池モジュールと、
太陽電池モジュールを囲うように設けられ、矩形形状の導電性のフレームと、
前記フレームの一方の長辺の中央部と他方の長辺の中央部とを、所定の距離以上に離れないように結合する補強部材と
を具備する
太陽電池パネル。
【請求項１９】
導電性の平板と、
前記平板の一方の面に設けられた結合部と
を具備し、
前記平板は、屋根に固定され隣り合う二つの太陽電池パネルにおける導電性のフレームに電気的に接続され、前記二つの太陽電池パネルの間の隙間を覆い、
前記結合部は、前記二つの太陽電池パネルの少なくとも一方の前記フレームに結合する
保護板。
【請求項２０】
接地に接続されるケーブルと、
前記ケーブルの途中に電気的に接続された複数の端子と
を具備し、
前記複数の端子の各々は、
屋根に固定されて並んだ複数の太陽電池パネルにおける導電性のフレームに嵌合する嵌合部と、
前記嵌合部と前記ケーブルとを接続する圧着端子部と
を備える
接地用ケーブル。
【請求項２１】
第１ケーブルと、
第２ケーブルと、
前記第１ケーブルと前記第２ケーブルとを結束する複数の結束バンドと
を具備し、
前記第１ケーブルは、
複数の太陽電池パネルのプラス電極用の第３ケーブルと、
前記複数の太陽電池パネルのマイナス電極用の第４ケーブルと、
一端を前記第３ケーブルに接続され、他端を前記複数の太陽電池パネルのうちの複数の第１太陽電池パネルのプラス電極に接続される複数の第５ケーブルと、
一端を前記第４ケーブルに接続され、他端を前記複数の太陽電池パネルのうちの前記複数の第１太陽電池パネルとは異なる複数の第２太陽電池パネルのマイナス電極に接続される複数の第６ケーブルと
を備え、
前記第２ケーブルは、隣り合う前記第１太陽電池パネルのマイナス電極と前記第２太陽電池パネルのプラス電極とを接続される
接続ケーブル。
【発明の詳細な説明】
【技術分野】
【０００１】
本発明は、太陽電池パネル及び太陽電池パネルの施工方法に関する。
【背景技術】
【０００２】
光を電力に変換する太陽電池が知られている。その太陽電池を利用する際、長期間安定して用いることが出来、屋根や壁に取り付けることが可能な形態として、太陽電池をパネル状にした太陽電池パネルが知られている。太陽電池パネルを屋根に設置する方法としては、瓦の上に支持構造を介して設置する方法や、太陽電池パネルを瓦に埋め込む方法などがある。太陽電池パネルの屋根への設置は、屋根上で行われるため、作業ができるだけ容易で、より安全で、確実に施工できることが望まれる。
【０００３】
太陽電池パネルを瓦の上に支持構造を介して設置する方法として、例えば、特開２００３−２９３５３６号公報に太陽電池付き屋根材が開示されている。この太陽電池付き屋根材は、表面側に太陽電池パネルを固定し、裏面側にケーブルを収納する凹部を形成した屋根基材を備えた太陽電池付き屋根材である。太陽電池パネルから引出されたリード線が、屋根基材の外周辺を介して表面側から裏面側の凹部に導かれてケーブルに接続されると共に、該ケーブルが、凹部から屋根基材の外部に引出されていることを特徴とする。屋根基材の外周辺に前記凹部と連通する切欠き部を形成し、該切欠き部を通してリード線を凹部に引込むと共にケーブルの端部を引出すようにしても良い。
【０００４】
太陽電池パネルを瓦に埋め込む方法として、特開２００４−３１３２号公報に太陽光利用装置の固定構造が開示されている。この太陽光利用装置の固定構造は、屋根下地上に瓦が多数配設された瓦屋根に設置する太陽光利用装置の固定構造である。屋根下地の所定位置に太陽光利用装置を支える支持部材を設けるとともに、瓦と同一外観をなし貫通孔を備えた金属成型瓦で前記支持部材を覆い、且つ前記支持部材と前記太陽光利用装置とを前記金属成型瓦の貫通孔を通じて固定するように構成したことを特徴とする。
【０００５】
【特許文献１】特開２００３−２９３５３６号
【特許文献２】特開２００４−００３１３２号
【発明の開示】
【発明が解決しようとする課題】
【０００６】
従って、本発明の目的は、作業をできるだけ容易で、より安全で、確実に施工できる太陽電池パネル及び太陽電池パネルの施工方法を提供することにある。
【０００７】
本発明の目的は、太陽電池パネル施工現場での作業効率を向上することが可能な太陽電池パネル及び太陽電池パネルの施工方法を提供することにある。
【０００８】
また、本発明の他の目的は、アースケーブルの接続を容易にすることが可能な太陽電池パネル及び太陽電池パネルの施工方法を提供することにある。
【０００９】
本発明の更に他の目的は、接続ケーブルの耐候性を高めることが可能な太陽電池パネル及び太陽電池パネルの施工方法を提供することにある。
【００１０】
本発明の別の目的は、接続ケーブルをより容易且つ確実に結線することが可能な太陽電池パネル及び太陽電池パネルの施工方法を提供することにある。
【００１１】
本発明の更に別の目的は、低コストで全体の強度を高めることのできる太陽電池パネル及び太陽電池パネルの施工方法を提供することにある。
【課題を解決するための手段】
【００１２】
以下に、発明を実施するための最良の形態で使用される番号・符号を用いて、課題を解決するための手段を説明する。これらの番号・符号は、特許請求の範囲の記載と発明を実施するための最良の形態との対応関係を明らかにするために括弧付きで付加されたものである。ただし、それらの番号・符号を、特許請求の範囲に記載されている発明の技術的範囲の解釈に用いてはならない。
【００１３】
従って、上記課題を解決するために、本発明の太陽電池の施工方法は、（ａ）複数の太陽電池パネル（１）を屋根（２）に固定するステップと、（ｂ）複数の太陽電池パネル（１）のうちの隣り合う太陽電池パネル（１）の間に、隣り合う太陽電池パネル（１）の隙間を覆い、電気的に接続するように保護板（３０）を設置するステップとを具備する。太陽電池パネル（１）は、光により発電する太陽電池モジュール（１２）と、太陽電池モジュール（１２）を囲うように設けられ、導電性を有するフレーム（１０）とを備える。保護板（３０）は、フレーム（１０）において隣り合う太陽電池パネル（１）を電気的に接続する。
【００１４】
上記の太陽電池の施工方法において、（ｃ）保護板（３０）で電気的に接続された複数の太陽電池パネル（１）の組同士を、接地用ケーブル（２２）で電気的に接続するステップを更に具備する。接地用ケーブル（２２）は、接地に接続されるケーブル（２２）と、ケーブル（２２）の途中に電気的に接続された複数の端子（４１）とを備える。複数の端子（４１）の各々は、組の中の一つの太陽電池パネル（１）におけるフレーム（１０）に嵌合し、電気的に接続される嵌合部（４２，４３、４４）と、嵌合部（４２，４３、４４）とケーブル（２２）とを接続する圧着端子部（４６）とを含む。
【００１５】
上記の太陽電池の施工方法において、（ｄ）複数の太陽電池パネル（１）を準備するステップと、（ｅ）複数の太陽電池パネル（１）用の接続ケーブル（２１／２３）を屋根（２）上に敷設するステップと、（ｇ）複数の太陽電池パネル（１）に接続ケーブル（２１／２３）を接続し、切り欠き部（１１）に通して、複数の太陽電池パネル（１）を屋根（２）上に乗せるステップとを更に具備する。ここで、太陽電池パネル（１）は、フレーム（１０）が、太陽電池パネル（１）を屋根（２）に固定するとき太陽電池モジュール（１）の接続ケーブル（２１／２３）を通すために設けられた切り欠き部（１１）を有する。
【００１６】
上記の太陽電池の施工方法において、接続ケーブル（２３）は、第１ケーブル（２３ａ）と、第２ケーブル（２３ｂ）と、第１ケーブル（２３ａ）と第２ケーブル（２３ｂ）とを結束する複数の結束バンド（２７）とを具備する。第１ケーブル（２３ａ）は、第３ケーブル（２３ａ１）と、第４ケーブル（２３ａ２）と、複数の第５ケーブル（２６ａ）と、複数の第６ケーブル（２６ｂ）とを備える。第３ケーブル（２３ａ１）は、複数の太陽電池パネル（１）のプラス電極用である。第４ケーブル（２３ａ２）は、複数の太陽電池パネル（１）のマイナス電極用である。複数の第５ケーブル（２６ａ）は、一端を第３ケーブル（２３ａ１）に接続され、他端を複数の太陽電池パネル（１）のうちの複数の第１太陽電池パネル（１）のプラス電極に接続される。複数の第６ケーブル（２６ｂ）は、一端を第４ケーブル（２３ａ２）に接続され、他端を複数の太陽電池パネル（１）のうちの複数の第１太陽電池パネル（１）とは異なる複数の第２太陽電池パネル（１）のマイナス電極に接続される。第２ケーブル（２３ｂ）は、隣り合う第１太陽電池パネル（１）のマイナス電極と第２太陽電池パネル（１）のプラス電極とに接続される。
【００１７】
上記の太陽電池の施工方法において、フレーム（１０）は、矩形形状であり、一方の長辺の中央部と他方の長辺の中央部とを、所定の距離以上に離れないように結合する補強部材（５１、５２）を備える。
【００１８】
上記課題を解決するために、本発明の太陽電池の施工方法は、（ｈ）複数の太陽電池パネル（１）を屋根（２）に並べて固定するステップと、（ｉ）複数の太陽電池パネル（１）に、接地用ケーブル（２２）を電気的に接続するステップとを具備する。太陽電池パネル（１）は、光により発電する太陽電池モジュール（１２）と、太陽電池モジュール（１２）を囲うように設けられ、導電性のフレームと（１０）を備える。接地用ケーブル（２２）は、接地に接続されるケーブル（２２）と、ケーブル（２２）の途中に電気的に接続された複数の端子（４１）とを備える。複数の端子（４１）の各々は、フレーム（１０）に嵌合し、電気的に接続される嵌合部（４２、４３、４４）と、嵌合部（４２，４３、４５）とケーブル（２２）とを接続する圧着端子部（４６）とを含む。
【００１９】
上記課題を解決するために、本発明の太陽電池の施工方法は、（ｊ）複数の太陽電池パネル（１）を準備するステップと、（ｋ）複数の太陽電池パネル（１）用の配線（２１）を屋根上に敷設するステップと、（ｌ）複数の太陽電池パネル（１）に配線（２１）を接続し、配線（２１）を切り欠き部（１１）に通して、複数の太陽電池パネル（１）を屋根（２）上に固定するステップとを具備する。ここで、太陽電池パネル（１）は、光により発電する太陽電池モジュール（１２）と、太陽電池モジュール（１２）を囲うように設けられ導電性を有するフレーム（１０）とを備える。フレーム（１０）は、太陽電池パネル（１）を屋根に固定するとき、太陽電池モジュール（１２）の配線（２１）が通りやすいように設けられた切り欠き部（１１）を有する。
【００２０】
上記課題を解決するために、本発明の太陽電池の施工方法は、（ｍ）複数の太陽電池パネル（２１）用の配線として接続ケーブル（２３）を屋根（２）上に敷設するステップと、（ｎ）複数の太陽電池パネル（１）に接続ケーブル（２３）を接続し、複数の太陽電池パネル（１）を屋根（２）上に固定するステップとを具備する。ここで、接続ケーブル（２３）は、第１ケーブル（２３ａ）と、第２ケーブル（２３）と、第１ケーブル（２３ａ）と第２ケーブル（２３ｂ）とを結束する複数の結束バンド（２７）とを具備する。第１ケーブル（２３ａ）は、第３ケーブル（２３ａ１）と、第４ケーブル（２３ａ２）と、複数の第５ケーブル（２６ａ）と、複数の第６ケーブル（２６ｂ）とを備える。第３ケーブル（２３ａ１）は、複数の太陽電池パネル（１）のプラス電極用である。第４ケーブル（２３ａ２）は、複数の太陽電池パネル（１）のマイナス電極用である。複数の第５ケーブル（２６ａ）は、一端を第３ケーブル（２３ａ１）に接続され、他端を複数の太陽電池パネル（１）のうちの複数の第１太陽電池パネル（１）のプラス電極に接続されている。複数の第６ケーブル（２６ｂ）は、一端を第４ケーブル（２３ａ２）に接続され、他端を複数の太陽電池パネル（１）のうちの複数の第１太陽電池パネル（１）とは異なる複数の第２太陽電池パネル（１）のマイナス電極に接続されている。第２ケーブル（２３ｂ）は、隣り合う第１太陽電池パネル（１）のマイナス電極と第２太陽電池パネル（１）のプラス電極とに接続されている。
【００２１】
上記課題を解決するために、本発明の太陽電池の施工方法は、（ｏ）複数の太陽電池パネル（１）を準備するステップと、（ｐ）複数の太陽電池パネル（１）を屋根（２）上に固定するステップとを具備する。ここで、太陽電池パネル（１）は、光により発電する太陽電池モジュール（１２）と、太陽電池モジュール（１２）を囲うように設けられ、矩形形状の導電性のフレーム（１０）と、フレーム（１０）の一方の長辺の中央部と他方の長辺の中央部とを、所定の距離以上に離れないように結合する補強部材（５１、５２）とを備える。
【００２２】
上記課題を解決するために、本発明の太陽電池システムは、屋根に固定された複数の太陽電池パネル（１）と、複数の太陽電池パネル（１）のうちの隣り合う太陽電池パネル（１）の間の隙間を覆うように設けられた保護板（３０）とを具備する。太陽電池パネル（１）は、光により発電する太陽電池モジュール（１２）と、太陽電池モジュール（１２）を囲うように設けられ、導電性のフレーム（１０）とを備える。保護板（３０）は、導電性の平板（３１）と、平板（３１）の一方の面に設けられた結合部（３２）とを備える。平板（３１）は、フレーム（１０）に電気的に接続され、結合部（３２）は、二つの太陽電池パネル（１）の少なくとも一方のフレーム（１０）に結合する。
【００２３】
上記の太陽電池システムにおいて、保護板（３０）で電気的に接続された複数の太陽電池パネル（１）の組同士を電気的に接続する接地用ケーブル（２２）を更に具備する。接地用ケーブル（２２）は、接地に接続されるケーブル（２２）と、ケーブル（２２）の途中に電気的に接続された複数の端子（４１）とを備える。複数の端子（４１の各々は、組の中の一つの太陽電池パネル（１）におけるフレーム（１０）に嵌合し、電気的に接続される嵌合部（４２、４３、４４）と、嵌合部（４２、４３、４４）とケーブル（１０）とを接続する圧着端子部（４６）とを備える。
【００２４】
上記の太陽電池システムにおいて、フレーム（１０）は、太陽電池パネル（１）が屋根に固定されるとき太陽電池モジュール（１２）の接続ケーブル（２１／２３）を通すために設けられた切り欠き部（１１）を有する。
【００２５】
上記の太陽電池システムにおいて、複数の太陽電池パネル（１）の各々における端子箱（１３）に接続された接続ケーブル（２３）を更に具備する。接続ケーブル（２３）は、第１ケーブル（２３ａ）と、第２ケーブル（２３ｂ）と、第１ケーブル（２３ａ）と第２ケーブル（２３ｂ）とを結束する複数の結束バンド（２７）とを備える。第１ケーブル（２３ａ）は、第３ケーブル（２３ａ１）と、第４ケーブル（２３ａ２）と、複数の第５ケーブル（２６ａ）と、複数の第６ケーブル（２６ｂ）とを含む。第３ケーブル（２３ａ１）は、複数の太陽電池パネル（１）のプラス電極用である。第４ケーブル（２３ａ２）は、複数の太陽電池パネル（１）のマイナス電極用である。複数の第５ケーブル（２６ａ）は、一端を第３ケーブル（２３ａ１）に接続され、他端を複数の太陽電池パネル（１）のうちの複数の第１太陽電池パネル（１）のプラス電極に接続されている。複数の第６ケーブル（２６ｂ）は、一端を第４ケーブル（２３ａ２）に接続され、他端を複数の太陽電池パネル（１）のうちの複数の第１太陽電池パネル（１）とは異なる複数の第２太陽電池パネル（１）のマイナス電極に接続されている。第２ケーブル（２３ｂ）は、隣り合う第１太陽電池パネル（１）のマイナス電極と第２太陽電池パネル（１）のプラス電極とを接続されている。
【００２６】
上記の太陽電池システムにおいて、フレーム（１０）は、矩形形状であり、一方の長辺の中央部と他方の長辺の中央部とを、所定の距離以上に離れないように結合する補強部材（５１、５２）とを備える。
【００２７】
上記課題を解決するために、本発明の太陽電池システムは、屋根（２）に固定されて並んだ複数の太陽電池パネル（１）と、複数の太陽電池パネル（１）の各々に接続され、接地に接続された接地用ケーブル（２２）とを具備する。太陽電池パネル（１）は、光により発電する太陽電池モジュール（１２）と、太陽電池モジュール（１２）を囲うように設けられ、導電性のフレーム（１０）とを備える。接地用ケーブル（２２）は、接地に接続されるケーブル（２２）と、ケーブル（２２）の途中に電気的に接続された複数の端子（４１）とを備える。複数の端子（４１）の各々は、フレーム（１０）に嵌合する嵌合部（４２、４３、４４）と、嵌合部（４２、４３、４４）とケーブル（１０）とを接続する圧着端子部（４６）とを含む。
【００２８】
上記課題を解決するために、本発明の太陽電池システムは、屋根（２）に固定されて並んだ複数の太陽電池パネル（１）と、複数の太陽電池パネル（１）の各々における端子箱（１３）に接続された接続ケーブル（２３）とを具備する。接続ケーブル（２３）は、第１ケーブル（２３ａ）と、第２ケーブル（２３ｂ）と、第１ケーブル（２３ａ）と第２ケーブル（２３ｂ）とを結束する複数の結束バンド（２７）とを備える。第１ケーブル（２３ａ）は、第３ケーブル（２３ａ１）と、第４ケーブル（２３ａ２）と、複数の第５ケーブル（２６ａ）と、複数の第６ケーブル（２６ｂ）とを含む。第３ケーブル（２３ａ１）は、複数の太陽電池パネル（１）のプラス電極用である。第４ケーブル（２３ａ２）は、複数の太陽電池パネル（１）のマイナス電極用である。複数の第５ケーブル（２６ａ）は、一端を第３ケーブル（２３ａ１）に接続され、他端を複数の太陽電池パネル（１）のうちの複数の第１太陽電池パネル（１）のプラス電極に接続されている。複数の第６ケーブル（２６ｂ）は、一端を第４ケーブル（２３ａ２）に接続され、他端を複数の太陽電池パネル（１）のうちの複数の第１太陽電池パネル（１）とは異なる複数の第２太陽電池パネル（１）のマイナス電極に接続されている。第２ケーブル（２３ｂ）は、隣り合う第１太陽電池パネル（１）のマイナス電極と第２太陽電池パネル（１）のプラス電極とを接続されている。
【００２９】
上記課題を解決するために、本発明の太陽電池パネルは、光により発電する太陽電池モジュール（１２）と、太陽電池モジュール（１２）を囲うように設けられ、導電性のフレーム（１０）とを具備する。フレーム（１０）は、フレーム（１０）を屋根（２）に固定するとき太陽電池モジュール（１２）の配線を通すために設けられた切り欠き部（１１）を有する。
【００３０】
上記課題を解決するために、本発明の太陽電池パネルは、光により発電する太陽電池モジュール（１２）と、太陽電池モジュール（１２）を囲うように設けられ、矩形形状の導電性のフレーム（１０）と、フレーム（１０）の一方の長辺の中央部と他方の長辺の中央部とを所定の距離以上に離れないように結合する補強部材（５１、５２）とを具備する。
【００３１】
上記課題を解決するために、本発明の保護板（３０）は、導電性の平板（３１）と、平板（３１）の一方の面に設けられた結合部（３２）とを具備する。平板（３１）は、屋根（２）に固定され隣り合う二つの太陽電池パネル（１）における導電性のフレーム（１０）に電気的に接続され、二つの太陽電池パネル（１）の間の隙間を覆う。結合部（３２）は、二つの太陽電池パネル（１）の少なくとも一方のフレーム（１０）に結合する。
【００３２】
上記課題を解決するために、本発明の接地用ケーブルは、接地に接続されるケーブル（２２）と、ケーブル（２２）の途中に電気的に接続された複数の端子（４１）とを具備する。複数の端子（４１）の各々は、屋根（２）に固定されて並んだ複数の太陽電池パネル（１）における導電性のフレーム（１０）に嵌合する嵌合部（４２、４３、４４）と、嵌合部（４２、４３、４４）とケーブル（２２）とを接続する圧着端子部（４６）とを備える。
【００３３】
上記課題を解決するために、本発明の接続ケーブル（２３）は、第１ケーブル（２３ａ）と、第２ケーブル（２３ｂ）と、第１ケーブル（２３ａ）と第２ケーブル（２３ｂ）とを結束する複数の結束バンド（２７）とを具備する。第１ケーブル（２３ａ）は、第３ケーブル（２３ａ１）と、第４ケーブル（２３ａ２）と、複数の第５ケーブル（２６ａ）と、複数の第６ケーブル（２６ｂ）とを備える。第３ケーブル（２３ａ１）は、複数の太陽電池パネル（１）のプラス電極用である。第４ケーブル（２３ａ２）は、複数の太陽電池パネル（１）のマイナス電極用である。複数の第５ケーブル（２６ａ）は、一端を第３ケーブル（２３ａ１）に接続され、他端を複数の太陽電池パネル（１）のうちの複数の第１太陽電池パネル（１）のプラス電極に接続されている。複数の第６ケーブル（２６ｂ）は、一端を第４ケーブル（２３ａ２）に接続され、他端を複数の太陽電池パネル（１）のうちの複数の第１太陽電池パネル（１）とは異なる複数の第２太陽電池パネル（１）のマイナス電極に接続されている。第２ケーブル（２３ｂ）は、隣り合う第１太陽電池パネル（１）のマイナス電極と第２太陽電池パネル（１）のプラス電極とを接続されている。
【発明の効果】
【００３４】
本発明により、太陽電池パネルは、施工作業をより容易、より安全、より確実に施工し、施工現場での作業効率を向上することが可能となる。また、アースケーブルの接続を容易にし、接続ケーブルの耐候性を高め、接続ケーブルをより容易且つ確実に結線することができる。そして、低コストで全体の強度を高めることができる。
【発明を実施するための最良の形態】
【００３５】
以下、本発明の太陽電池パネル及び太陽電池パネルの施工方法の実施の形態に関して、添付図面を参照して説明する。
【００３６】
（第１の実施の形態）
本発明の太陽電池パネル及び太陽電池パネルの施工方法の第１の実施の形態について、添付図面を参照して説明する。まず、本発明の太陽電池パネル及び太陽電池パネルの施工方法の第１の実施の形態の構成について説明する。
【００３７】
図１（ａ）は、本発明の太陽電池パネルを屋根に載せた場合の概略図である。複数の太陽電池パネル１は、行方向（図のＸ方向）及び列方向（図のＹ方向）に、概ね行列（マトリクス）状に配列されている。各太陽電池パネル１は、屋根２上の瓦（図示されず）に設置された治具（図示されず）により、他の太陽電池パネル１と互いに隣接して瓦上に配置されている。各太陽電池パネル１は、接続ケーブルやアースケーブル（図示されず）により、所定の配線が成されている。
【００３８】
図１（ｂ）は、本発明の太陽電池パネルを示す構成図である。それぞれ基本的な太陽電池パネル１の上面図、ＡＡ断面図、ＢＢ断面図である。太陽電池パネル１は、光により電力を発生する太陽電池モジュール１２と、それを保持（支持）するフレーム１０と、電力を取り出す端子（プラス及びマイナス）を収めた端子箱１３とを具備する。フレーム１０は、導電性のある材料、例えばアルミニウムを含む金属で形成する。表面は耐候性（耐食性）を高めるために所定の塗料を塗っているため、表面は絶縁性である。
【００３９】
図２（ａ）は、本発明の太陽電池パネルの第１の実施の形態を示す斜視図である。
本実施の形態の太陽電池パネル１は、図１の構成に加えて、化粧板３０を備える。化粧板３０は、隣り合う太陽電池パネル１のフレーム１０同士を電気的に接続する。同時に、隣り合う太陽電池パネル１間の隙間を覆い、太陽電池パネル１の下側を通る接続ケーブル２１が隙間部分で太陽光、風、雨、雪にさらされることを防止する。
【００４０】
図２（ｂ）は、化粧板の取り付け部分の詳細を示す斜視図である。
化粧板３０について更に説明する。化粧板３０は、導電性のある材料、例えばアルミニウムのような金属で形成されている。表面には耐食性を向上させる塗装を施されている。化粧板３０は、化粧板本体３１と、嵌め込み部３２とを備える。化粧板本体３１は、矩形形状の平板である。太陽電池パネル１の短辺と概ね等しい長辺と、隣り合う太陽電池パネル１同士の隙間より長い短辺とを有する。両長辺側の中央付近には、一方の面から他方の面へ貫通する穴３３と、穴３４が設けられている。穴３３及び穴３４は、太陽電池パネル１のフレーム１０の短辺端部１０ａにおける中央付近に設けられた穴１０ｃ及び穴１０ｄに対応している。化粧板３０は、２本のビス３５をそれぞれ穴３３−穴１０ｃ及び穴３４−穴１０ｄに貫通することで太陽電池パネル１に固定される。ビス３５もまた、金属製である。嵌め込み部３２は、化粧板本体３１の一方の面に、一方の短辺から他方の短辺に向かって長辺に略平行に伸びるように設けられた、略Ｌ字型断面を有する部材である。このような化粧板３０は、押出し成形で形成されるので、通常の平板の場合に比較してほぼ同程度のコストで製造することができる。
【００４１】
隣り合う太陽電池パネル１は、パネル１０−穴１０ｃ（内面は金属が剥き出し）−ビス３５−穴３３（内面は金属が剥き出し）−化粧板３０−穴３４（内面は金属が剥き出し）−ビス３５−穴１０ｄ−パネル１０という経路により電気的に接続される。
【００４２】
次に、図２を参照して、本発明の太陽電池パネルの施工方法について説明する。
（１）まず、図２（ｂ）に示すような太陽電池パネル１を準備（製造）する。太陽電池パネル１は、フレーム１０の短辺の端部１０ａの中央付近であって、化粧板３０を取り付ける場合の穴３３及び穴３４に対応する位置に、穴１０ｃ及び穴１０ｄが設けられている。穴１０ｃ及び穴１０ｄの内面はフレーム１０の金属が露出している。
（２）次に、準備された複数の太陽電池パネル１を図１（ａ）のように屋根に取り付ける。屋根に取り付ける方法としては、従来の方法や、後述の方法を利用することができる。
（３）続いて、隣り合う太陽電池パネル１の間の隙間に、嵌め込み部３２を下にして化粧板３０を置く。そして、化粧板３０を滑らせて、化粧板本体３１と嵌め込み部３２とで形成される空間に、端部１０ａを嵌め込む。
（４）その後、穴３３−穴１０ｃ及び穴３４−穴１０ｄにおいて、ビス３５で化粧板３０を固定する。穴３４をフレーム１０の長辺方向に長く取っているので、太陽電池パネル１の設置の誤差に柔軟に対応できる。
【００４３】
このようにして、太陽電池パネルが施工される。ただし、ビス３５を用いているが、ボルト−ナットを用いることもできる。また、穴の数及び位置は、図２の例に限定されるものではない。
【００４４】
図３は、従来知られた方法による太陽電池パネル１０１同士の電気的な接続である。この場合、太陽電池パネル１０１同士を電気的に接続するために、アースケーブル１３１をフレーム１１０側面で固定していたため、太陽電池パネル１０１同士の隙間に当たる接続ケーブル１２１ａは、太陽光、風、雨、雪にさらされ易く、劣化しやすくなる。加えて、アースケーブル１３１は、施工時のビス止めの際、落下する可能性がある。
【００４５】
本発明により、太陽電池パネル１の施工時において、化粧板３０で隣り合う太陽電池パネル１を電気的に接続するので、太陽電池パネル１間を接続するアースケーブルが不要となる。また、化粧板３０の取り付けの際、化粧板３０の一端を太陽電池パネル１のフレーム１０に嵌め込むため、ビス３５止めの前に化粧板３０が落下することを防止できる。化粧板３０の穴３４が長穴のため、太陽電池パネル１の取り付け寸法公差の吸収が可能となる。それらにより作業をより容易で、より安全で、確実に行うことができる。そして、施工現場での作業効率を向上させることができる。
【００４６】
本発明において、太陽電池パネル１間の隙間が無くなり、太陽光による接続ケーブル２１が太陽光、風、雨、雪にさらされ難くなるので、接続ケーブル２１の被覆材の劣化を防止できる。また、太陽電池パネル１間の隙間が無くなり、太陽電池パネル１の下への風の吹き込みを防止できるので、太陽電池パネル１の耐風圧性能を向上できる。そして、太陽電池パネル１間の隙間が無くなり、意匠性を向上することができる。
【００４７】
（第２の実施の形態）
本発明の太陽電池パネル及び太陽電池パネルの施工方法の第２の実施の形態について、添付図面を参照して説明する。まず、本発明の太陽電池パネル及び太陽電池パネルの施工方法の第２の実施の形態の構成について説明する。
【００４８】
図１については、第１の実施の形態と同様であるので説明を省略する。
【００４９】
図４（ａ）は、本発明の太陽電池パネルの第２の実施の形態を示す斜視図である。
屋根２上に概ね行列状に配列された複数の太陽電池パネル１は、アース用の電気的な接続として、行方向（Ｘ方向）へは第１の実施の形態で説明した方法により互いに接続されている。第２の実施の形態は、列の一番端における列方向（Ｙ方向）への接続方法に関する。
【００５０】
図４（ａ）を参照すると、一本のアースケーブル２２が行列状の太陽電池パネルの各行の端において、列方向に接続されている。Ｍ１及びＭ２の部分を拡大した図に示すように、アースケーブル２２は、太陽電池パネル１の行の数に相当する圧着端子４１を所定の間隔で予め取り付けられている。そして、太陽電池パネル１のフレーム１０の端部１０ｂに、圧着端子４１を嵌め込むことで電気的な接続を行う。
【００５１】
図４（ｂ）は、圧着端子の構成を示す斜視図である。圧着端子４１は、圧着部４６、第１平板部４４、第２平板部４３、押え部４２を備える。圧着部４６は、円筒形状を有し、アースケーブル２２を中に入れて押し潰される（圧着される）ことにより、圧着端子４１とアースケーブル２２とを接続する。第１平板部４４と第２平板部４３とは対向し、略Ｕ字形状を成す。Ｕ字の底で圧着部４６と接続している。押え部４２は、半円筒形状を有し、第２平板部４３と接続され、第１平板部４４と対向している。
【００５２】
図４（ｃ）は、圧着端子を太陽電池パネルにはめ込むときの様子を示す断面図である。アースケーブル２２を接続された圧着端子４１は、フレーム１０の端部１０ｂの下側から嵌め込まれる。とき、押え部４２及び第１平板部４４との間に挟む込むようになる。このとき、略Ｕ字形状を成す第１平板部４４と第２平板部４３と押え部４２とが弾性変形し、弾性力で圧着端子４１及びアースケーブル２２は、端部１０ｂに固定される。このとき、接触面４５の表面又は第１平板部４４の内側の表面を粗くする（凹凸をつける）と、嵌め込みの際、接触面４５が端部１０ｂの表面塗装を削り金属面を剥き出しにして電気的な接続を良好にさせることができる。
【００５３】
次に、図４を参照して、本発明の太陽電池パネルの施工方法について説明する。
（１）まず、図４（ａ）で示すような所定の間隔で所定の数の圧着端子４１（図４（ｂ））を接続したアースケーブル２２を作製する。所定の間隔及び数は、太陽電池パネル１の設置位置及び数に基づいて計算する。
（２）次に、図１（ｂ）に示す複数の太陽電池パネル１を図１（ａ）及び図４（ａ）のように屋根に取り付ける。屋根に取り付ける方法としては、従来の方法や、後述の方法を利用することができる。
（３）続いて、第１の実施の形態の方法により、複数の太陽電池パネル１の行方向（Ｘ方向）について、フレーム１０同士を電気的に接続する。
（４）その後、一番端の列の太陽電池パネル１の端部１０ｂに、予め作製しておいたアースケーブル２２の圧着端子４１を嵌めることで、太陽電池パネル１にアースケーブル２２を固定する。
【００５４】
このようにして、太陽電池パネルが施工される。ただし、圧着端子４１の形状はこの例に限定されることは無く、フレーム１０に嵌め込み可能な形状であれば良い。
【００５５】
図５は、従来知られた方法による列の一番端の太陽電池パネル１０１同士の電気的な接続である。この場合、太陽電池パネル１０１同士を電気的に接続するために、従来の圧着端子１３７を用い、アースケーブル１２２をフレーム１１０側面においてビス１３５で固定していた。ため、ケーブル数が多く、ビス留め工数が多く、アースケーブル１２２やビス１３５を落としてしまう可能性もある。
【００５６】
本発明により、圧着端子４１を太陽電池パネル１のフレーム１０に嵌め込むだけで簡単にアースケーブル２２を取り付けることができる。使用するアースケーブル２２の数が１本になるので、作業上のミスを少なくすることができる。加えて、現場でアースケーブル２２を加工することが不要になる。すなわち、作業をできるだけ容易で、より安全で、確実に実施することができる。施工現場での作業効率を向上することが可能となる。
【００５７】
（第３の実施の形態）
本発明の太陽電池パネル及び太陽電池パネルの施工方法の第３の実施の形態について、添付図面を参照して説明する。まず、本発明の太陽電池パネル及び太陽電池パネルの施工方法の第３の実施の形態の構成について説明する。
【００５８】
図１については、第１の実施の形態と同様であるので説明を省略する。
【００５９】
図６（ａ）は、本発明の太陽電池パネルの第３の実施の形態を示す斜視図である。
本実施の形態の太陽電池パネル１は、フレーム１０に、接続ケーブル２１の通る切欠き１１を有する。切欠き１１は、フレーム１０の長辺側に設けられた切欠き１１ａ、及び、短辺側に設けられた切欠き１１ｂがある。切欠き１１を設けることで、太陽電池パネル１の下に接続ケーブル２１の通る隙間を設ける必要が無くなる。それにより、太陽電池パネル１を屋根により近づけることができる。切欠き１１の位置、大きさ、間隔及び数は、この図の例に限定されるものではなく、太陽電池パネルの数や配線の設計に基づいて決定される。
【００６０】
図６（ｂ）は、切欠き１１ａの形状を示す図である。切欠き１１ａの形状は、フレーム１０の強度上、応力集中を低減するために、単なる矩形形状ではなく、角で所定の丸みを持たせるようにする。例えば、図では、所定の半径Ｒの曲線を描くようにしている。ただし、図６（ｃ）のような形状にしても良い。
【００６１】
図６（ｃ）は、切欠き１１ｂの形状を示す図である。切欠き１１ｂの形状もまた、フレーム１０の強度上、応力集中を低減するために、単なる矩形形状ではなく、フレーム１０の底面に対して所定の角度を有するようにしている。例えば、図では、略４５度の角度となるようにしている。ただし、図６（ｂ）のような形状にしても良い。
【００６２】
図６（ｄ）は、本発明の太陽電池パネルを屋根に載せた場合のＸ方向から見た概略図である。複数の太陽電池パネル１が、列方向（図のＹ方向）に配列されている。各太陽電池パネル１は、屋根の野地板６１の桟木６２に固定された瓦６３上に設置された治具（図示されず）により、他の太陽電池パネル１と互いに隣接して瓦上に配置されている。各太陽電池パネル１は、接続ケーブル２１により、所定の配線が成されている。そのとき、接続ケーブル２１は、切欠き１１ａ及び切欠き１１ｂを通るので、瓦６３と太陽電池パネル１との距離Ｄをより近づけることができる。
【００６３】
次に、図６を参照して、本発明の太陽電池パネルの施工方法について説明する。
（１）まず、図６（ａ）〜（ｃ）に示すような太陽電池パネル１を準備（製造）する。太陽電池パネル１は、フレーム１０の長辺及び短辺に、所定の位置、大きさ、間隔及び数で、それぞれ切欠き１１ａ及び１１ｂが設けられている。
（２）次に、図１（ｂ）及び図６（ａ）〜（ｃ）に示すように複数の太陽電池パネル１を屋根に取り付けるために、それらの太陽電池パネル１用の接続ケーブル２１を瓦６３上に敷設する。
（３）続いて、敷設された接続ケーブル２１と太陽電池パネル１との結線を行いながら、図１（ａ）及び図６（ｄ）に示すように複数の太陽電池パネル１を屋根に取り付ける。屋根に取り付ける方法としては、従来の方法や、後述の方法を利用することができる。
（４）後、各太陽電池パネル１間において、第１及び第２の実施の形態の化粧板３０及びアースケーブル２２の接続を行う。
【００６４】
このようにして、太陽電池パネルが施工される。
【００６５】
図７（ａ）は、従来の太陽電池パネル１０１を示す斜視図である。この場合、太陽電池パネル１０１のフレーム１１０には切欠きが無い。ため、接続ケーブル１２１は、フレーム１１０が占有する空間の下側を通る必要がある。図７（ｂ）は、従来の太陽電池パネルを屋根に載せた場合のＸ方向から見た概略図である。このように太陽電池パネル１０１の下側に接続ケーブル１２１を通す必要があるので、その分太陽電池パネル１０１が瓦１６３から離れることになる。距離Ｄ’は、図６（ｄ）の距離Ｄよりも大きくなる。距離Ｄ’が大きくなると、太陽電池パネル１０１の下側への風の吹き込みにより、耐風圧性能が低下する。ため、耐風圧性能を確保するための部材が必要になり、コストアップの原因となる。
【００６６】
本発明により、太陽電池パネル１と瓦６３との距離Ｄが小さくなり、太陽電池パネル１の下側への風の吹き込みが押えられ、耐風圧性能の向上が図れる。それにより施工作業中は、作業をできるだけ容易で、より安全で、確実に施工でき、施工作業後は、耐風圧性能の向上した、より安定した太陽電池システムとすることができる。そして、距離Ｄが小さくなることで風による吹き上げ荷重が減少することにより、部材のコストダウンができる。
【００６７】
本発明により、切欠き１１の位置を特定することで、接続ケーブル２１の通路を特定することができる。それにより、接続ケーブル敷設の標準化ができ、それにより施工現場での作業効率を向上させることができる。そして、太陽電池パネル１と瓦６３との段差が少なくなり、意匠性を向上することができる。
【００６８】
（第４の実施の形態）
本発明の太陽電池パネル及び太陽電池パネルの施工方法の第４の実施の形態について、添付図面を参照して説明する。まず、本発明の太陽電池パネル及び太陽電池パネルの施工方法の第４の実施の形態の構成について説明する。
【００６９】
図１については、第１の実施の形態と同様であるので説明を省略する。
【００７０】
図８（ａ）は、本発明の太陽電池パネルの第４の実施の形態に用いる接続ケーブルを示す構成図である。
本実施の形態の接続ケーブル２３は、複数の太陽電池パネル１ごとに一まとめになっている。図では、２行４列に配列される太陽電池パネル１に用いる接続ケーブル２３を例示している。接続ケーブル２３は、並列ケーブル２３ａ、直列ケーブル２３ｂ、分岐ターミナル２６、コネクタ２４、コネクタ２５、結束バンド２７を備える。
【００７１】
図８（ｂ）は、接続ケーブルの詳細を示す図である。並列ケーブル２３ａは、プラス電極用のケーブル２３ａ１、マイナス電極用のケーブル２３ａ２を有する。各太陽電池パネル１の出力を並列接続する。直列ケーブル２３ｂは、隣接する太陽電池パネル１間の電極を直列接続する。分岐ターミナル２６は、並列ケーブル２３ａに対して太陽電池パネル１の出力を並列接続する。すなわち、一端がケーブル２３ａ１に接続され、他端が太陽電池パネル１のプラス電極に接続されるケーブル２６ａと、一端がケーブル２３ａ２に接続され他端が他の太陽電池パネル１のマイナス電極に接続されるケーブル２６ｂとを備える。結束バンド２７は、並列ケーブル２３ａ及び直列ケーブル２３ｂを一つに結束する。コネクタ２４は、並列ケーブル２３ａで集められた太陽電池パネル１の電力を外部に取り出すための端子である。ケーブル２３ａ１に接続されたコネクタ２４ａと、ケーブル２３ａ２に接続されたコネクタ２４ｂとを有する。コネクタ２５は、太陽電池パネル１の電力取り出し用の端子箱１３に接続される端子である。ケーブル２６ａや直列ケーブル２３ｂに接続されたコネクタ２５ａと、ケーブル２３ｂや直列ケーブル２３ｂに接続されたコネクタ２５ｂとを有する。
【００７２】
図９は、結束バンド２７の詳細を示す図である。結束バンド２７は、バンドＡ２７ａとバンドＢ２７ｃとを含む。図の右側に示すように、バンドＡ２７ａに対して、所定の方向からバンドＢ２７ｃを近づける。それにより、図の左側に示すように、バンドＢ２７ｃの掛部２７ｄが、バンドＡ２７ａのスリット２７ｂに挿入され両者が互いに固定される。
【００７３】
次に、図８〜図１０を参照して、本発明の太陽電池パネルの施工方法について説明する。図１０は、本発明における太陽電池パネルと接続ケーブルとの接続を示す構成図である。ここでは、２行４列の太陽電池パネル１を施工する場合について説明する。
（１）まず、図８（ａ）〜（ｂ）、図９に示すような接続ケーブル２３を準備（製造）する。ここで、並列ケーブル２３ａ及び直列ケーブル２３ｂの長さや本数、分岐ターミナル２６の位置や個数、コネクタ２４及びコネクタ２５の個数、結束バンド２７位置及び個数は、太陽電池パネル１の配置設計に基づいて決定される。
（２）次に、第３の実施の形態で説明した図６（ａ）〜（ｃ）に示すような太陽電池パネル１を準備（製造）する。太陽電池パネル１は、フレーム１０の長辺及び短辺に、所定の位置、大きさ、間隔及び数で、それぞれ切欠き１１ａ及び１１ｂが設けられている。
（３）その後、屋根２（瓦）上に太陽電池パネル１を割り付けるための割付図面に基づいて、太陽電池パネル１の端子箱１３の位置を屋根２（瓦）上にマークする。
（４）次に、複数の太陽電池パネル１を屋根２に取り付けるために、準備した接続ケーブル２３を屋根２（瓦）上に敷設する。その際、接続ケーブル２３におけるコネクタ２５に近い位置の結束バンド２７をマークに合わせる。そのようにすることで、結束バンド２７の位置で２本のケーブルが曲がり、先のコネクタ２５が端子箱１３の位置となる。接続ケーブル２３は、太陽電池パネル１を取り付ける治具（図示されず）に他の種類の結束バンドなどで固定しても良い。
（５）続いて、接続ケーブル２３の各コネクタ２５を各太陽電池パネル１の端子箱１３に接続しながら、図１（ｂ）に示すように複数の太陽電池パネル１を屋根に取り付ける。
（６）その後、各太陽電池パネル１間において、第１及び第２の実施の形態の化粧板３０及びアースケーブル２２の接続を行う。加えて、瓦６３上に配線された接続ケーブル２１と太陽電池パネル１との結線を行う。
【００７４】
このようにして、太陽電池パネルが施工される。
【００７５】
図１１（ａ）は、従来の並列ケーブル１２３ａを示す図である。図１１（ｂ）は、従来の直列ケーブル１２３ｂを示す図である。このように、従来の施工現場では複数の種類のケーブルを同時に使用して、接続作業を行う必要があった。ため、ケーブルの仕分け、位置決め等、作業が煩雑化する。それにより、作業効率の低下、誤配線の発生の要因となる。また、各ケーブルは、太陽電池パネル１と屋根２との空間に敷設するため、太陽電池パネル１を設置する前に敷設しなければならない。ため、各ケーブルを接続する対象である太陽電池パネル１を設置する前に作業しなければならず、ケーブルの位置決めに時間や手間がかかる。
【００７６】
本発明により、４本のケーブルを予め結束した接続ケーブル２３を用いるので、現場でのケーブルの仕分けが不要となる。加えて、予め屋根につけたマークと接続ケーブル２３の結束バンド２７の位置を合わせることにより、容易に接続ケーブル２３を敷設できる。更に、接続ケーブルの接続作業が容易になるので誤接続を抑制できる。すなわち、施工作業が容易で、より安全で、確実に実施でき、施工現場での作業効率を向上することができる。
【００７７】
（第５の実施の形態）
本発明の太陽電池パネル及び太陽電池パネルの施工方法の第５の実施の形態について、添付図面を参照して説明する。まず、本発明の太陽電池パネル及び太陽電池パネルの施工方法の第５の実施の形態の構成について説明する。
【００７８】
図１については、第１の実施の形態と同様であるので説明を省略する。
【００７９】
図１２（ａ）は、本発明の太陽電池パネルの第５の実施の形態を示す斜視図である。
本実施の形態の太陽電池パネル１は、フレーム１０の向かい合う両長辺同士の中央付近に貫通穴が設けられている。そして、貫通穴に金属製のロッド５１が貫通し、ロッド５１がロックピン５２により固定されることにより、フレーム１０の向かい合う両長辺同士が連結されている。これにより、フレーム１０が歪み、向かい合う両長辺の距離が広がることを防止することができる。図１２（ａ）では、長辺の中央部に１本のロッド５１を設けているが、本発明はこれに限定されるものではなく、フレーム１０が受ける力に応じて、位置や本数を変更することも可能である。また、アース端子として使用することも可能である。また、ロックピン５２の代わりにロッド５１の端部にオネジを切りナットにてロックする方法や、その他のロック方法も用いることが出来る。
【００８０】
図１２（ｂ）は、図１２（ａ）におけるＥＥ断面を示す。フレーム１０に対して太陽電池モジュール１２１が嵌め込まれている。断面部からやや離れて、ロッド５１がロックピン５２により固定されている。固定により、フレーム１０が歪んで広がり、太陽電池モジュール１２がフレームから外れることを防止できる。
【００８１】
図１２（ｃ）は、図１２（ｂ）におけるＦ方向から見た図である。ロックピン５２は、ロッド５１に差し込まれてロッド５１とフレーム１０とにより固定されている。これにより、ロッド５１もまた固定されている。
【００８２】
次に、図１２を参照して、本発明の太陽電池パネルの施工方法について説明する。
（１）まず、第４の実施の形態で説明した図８（ａ）〜（ｂ）、図９に示すような接続ケーブル２３を準備（製造）する。
（２）次に、図１２に示すようなロッド５１及びロックピン５２とで長辺の中央付近を補強され、第３の実施の形態で説明した図６（ａ）〜（ｃ）に示すような切欠き１１が設けられた太陽電池パネル１を準備（製造）する。
（３）その後、屋根２（瓦）上に太陽電池パネル１を割り付けるための割付図面に基づいて、太陽電池パネル１の端子箱１３の位置を屋根２（瓦）上にマークする。
（４）次に、図１（ｂ）に示すように複数の太陽電池パネル１を屋根２に取り付けるために、準備した接続ケーブル２３を屋根２（瓦）上に敷設する。際、接続ケーブル２３におけるコネクタ２５に近い位置の結束バンド２７をマークに合わせる。
（５）続いて、接続ケーブル２３の各コネクタ２５を各太陽電池パネル１の端子箱１３に接続しながら、図１（ｂ）に示すように複数の太陽電池パネル１を屋根に取り付ける。屋根に取り付ける方法としては、従来の方法や、後述の方法を利用することができる。
（６）その後、各太陽電池パネル１間において、第１及び第２の実施の形態の化粧板３０及びアースケーブル２２の接続を行う。加えて、瓦６３上に配線された接続ケーブル２１と太陽電池パネル１との結線を行う。
【００８３】
このようにして、太陽電池パネルが施工される。
【００８４】
図１３（ａ）は、従来の太陽電池パネル１０１を示す斜視図である。太陽電池パネル１０１の施工のさい、作業者は、フレーム１１０の長辺側に指をかけて太陽電池パネル１０１を持つことが多い。この場合、フレーム１１０には長辺側の面内方向に荷重Ｐ１がかかることになる。それにより撓みによるフレーム１１０が外側に湾曲する。図１３（ｂ）は、従来の太陽電池パネル１０１を示す断面図である。図１（ｂ）のＡＡ断面に対応する。太陽電池パネル１０１の表面に直角に荷重Ｐ２がかかった場合、フレーム１０の面内方向に分力Ｓ１が生じる。それにより、フレーム１１０が外側に湾曲し、荷重が大きいときには太陽電池モジュール１２がフレーム１１０から抜け落ちる可能性がある。
【００８５】
本発明により、太陽電池パネルの１本のフレームに面内方向の荷重がかかっても、対向するフレームと２本で荷重を分担するので、取り扱い時や気象によるフレームの湾曲を防止できる。それにより、フレーム断面積を低減でき、コストダウンが図れる。すなわち、低コストで全体の強度を高めることができる。同じ効果として中間フレームを追加する方法もあるが、ロッドの取り付けのほうが道具を使用せずに装着が可能であるため、組み立ての作業効率が高い。
【００８６】
屋根に太陽電池パネル１を取り付ける方法としては、種々の方法（従来知られた方法を含む）を用いることができる。例えば、特願２００４−０５５６１７号に記載された太陽電池モジュールの取り付け工法を用いることができる。
【００８７】
特願２００４−０５５６１７号の太陽電池モジュールの取り付け工法を概説する。図１４は、太陽電池モジュールの取り付け方法に用いる屋根瓦を示す斜視図である。屋根瓦２０１は、屋根の野地板に施工されたとき、軒先側になるのが頭部Ｋ、棟側になるのが尻部Ｌ、隣接する屋根瓦２０１の側面の下に差し込まれるのが差込部Ｍ、及び、隣接する屋根瓦２０１の側面の上を覆うのが桟部Ｎ、中央付近の外部に曝されるのが雨曝し部Ｊである。
【００８８】
屋根瓦２０１は、釘穴２０３、尻部水返し２０４、係止突起２０５、水返し２０６ａ、水返し２０６ｂ、被係止部２０７、水返し２０８、側頭部９ａ、９ｂ中央頭部９ｃ、開口２１０ａ、係止突起２１０、支持突起２１１を有する。釘穴２０３は、尻部Ｌ近傍に２箇所（以上）設けられ、屋根瓦２０１を貫通する。釘を打ち込んで屋根瓦２０１を固定する。尻部水返し２０４は、尻部Ｌに設けられ、雨曝し部Ｊよりも高い台の形状である。雨水を雨曝し部Ｊへ流す。係止突起２０５は、尻部Ｌに設けられ、桟部Ｎの方向へ向くフック状の形状を有する。屋根瓦２０１が屋根の野地板に施工され、棟側に隣接する他の屋根瓦２０１の頭部Ｋの一部が尻部Ｌの一部に重なるとき、頭部Ｋの被係止部２０７に係止突起２０５が引っ掛かり、互いに係止する。
【００８９】
水返し２０６ａ、２０６ｂは、差込部Ｍに設けられ、雨曝し部Ｊよりも高い台の形状である。雨水を雨曝し部Ｊへ流す。屋根瓦２０１が屋根の野地板に施工され、隣接する他の屋根瓦２０１の桟部Ｎが差込部Ｍに重なるとき、桟部Ｎの水返し２０８が水返し６ａ、６ｂ、被係止部２０７（引っ掛かった係止突起２０５を含む）の上を覆う。被係止部２０７は、差込部Ｍに設けられ、他の屋根瓦２０１の係止突起２０５の先端が引っ掛かりやすい形状を有する。
【００９０】
水返し２０８は、桟部Ｎに設けられ、雨曝し部Ｊよりも高い台の形状である。雨水を雨曝し部Ｊへ流す。屋根瓦２０１が屋根の野地板に施工され、隣接する他の屋根瓦２０１の差込部Ｍに桟部Ｎが重なるとき、差込部Ｍの水返し６ａ、６ｂ、被係止部２０７（含む引っ掛かった係止突起２０５）が水返し２０８の下に差し込まれる。
【００９１】
側頭部９ａ、９ｂは、頭部Ｋに設けられ、雨曝し部Ｊから緩やかに下方へ下がる傾斜を有する。雨水を雨曝し部Ｊから軒下側へ流す。中央頭部２０９ｃは、頭部Ｋに設けられ、側頭部９ａ、９ｂとは異なり、所定の幅Ｗの平坦面Ｋ１が雨曝し部Ｊまで伸びている。この平坦面Ｋ１上に、太陽電池パネルを保持する後述の連結金具２２０が載せられる。中央頭部２０９ｃはアンダーカットされ、連結金具２２０が係止しやすく、且つ、軒下側に隣接する屋根瓦２０１の水返し２０８が重なりやすいようになっている。
【００９２】
係止突起２１０は、平坦面Ｋ１上に設けられ、尻部Ｌ向きのフック状の形状を有する。連結金具２２０が係止される。支持突起２１１は、平坦面Ｋ１上に、係止突起２１０を囲むように略同一高さで４個設けられている。連結金具２２０を下方から四点で安定的に支持して、上下左右方向のずれを抑制する。加えて、連結金具の押圧力が、雨曝し部Ｊの表面レベル精度のばらつきに影響されないようにする。
【００９３】
図１５は、太陽電池モジュールの取り付け方法に用いる連結金具を示す斜視図である。連結金具２２０は、底面部２３０と、長辺側壁部２４０と、第１短辺側壁部２５０及び第２短辺側壁部２６０とを備える。上蓋の無い箱のように形成されている。底面部２３０は、平坦面Ｋ１に設置可能な大きさの長方形を成す。長辺側壁部２４０は、底面部２３０から略垂直に立ち上がる長辺側の２つの面である。第１短辺側壁部２５０及び第２短辺側壁部２６０は、底面部２３０から略垂直に立ち上がる短辺側の２つの面である。
【００９４】
底面部２３０は、開口部２３１、第１舌片状弾性部２３２及び第２舌片上弾性部２３３を備える。開口部２３１は、底面部２３０の略中央付近にあり、屋根瓦２０１の係止突起２１０が係合する。第１舌片状弾性部２３２は、短辺側壁部２５０近傍の部位を略コの字状に切り欠いた部分である。第１舌片状弾性体２３２は、底面部２３０より下側に向き、先端部２３２ａは更に外側に向いている。屋根瓦２０１に設置したとき、先端２３２ａが中央頭部２０９ｃのアンダーカットされた部分に係合される。第２舌片上弾性部２３３は、底面部２３０より下側に向き、先端部２３３ａは内側に向いている。屋根瓦２０１に設置したとき、先端２３３ａが平坦面Ｋ１に押し付けられ弾性的に連結金具２２０を保持する。
【００９５】
長辺側壁部２４０は、底面部２３０の側と反対側の先端が外方を向き、断面が逆Ｌ字状に形成されている。平面部２４１は、太陽電池パネル１が接触しても損傷しないようにしている。垂直面２４２は、一部が切り欠けられ、接続ケーブル２３を通過させることができるようになっている。
【００９６】
第１短辺側壁部２５０は、太陽電池パネル１のフレーム１０に設けられた突起を引っ掛ける係止爪２５２と、係止爪２５２を支持する第１短辺側壁部本体２５１とを備える。第２短辺側壁部２６０の構成も、第１短辺側壁部２５０と同様である。
【００９７】
図１６は、太陽電池モジュールの取り付け方法により屋根に取り付けた屋根瓦を示す斜視図である。屋根２の野地板２０２上に設けられた桟木２０２ａ上に、屋根瓦２０１を互いの一部が重なるように設置することができる。すなわち、桟木２０２ａの方向に隣り合う屋根瓦２０１については、一方（向かって左側）の先部Ｎの一部が、他方（向かって右側）の差込部Ｍの一部を覆うようにして重なって設置される。棟から軒下の方向に隣り合う屋根瓦２０１については、上側の頭部Ｋの一部が、下側の尻部Ｌの一部を覆うように重なって配置される。連結金具２２０は、開口部２３１に屋根瓦２０１の係止突起２１０を挿入されて平坦面Ｋ１上に固定される。
【００９８】
図１７は、太陽電池モジュールの取り付け方法により屋根瓦上に取り付けた太陽電池パネルを示す断面図である。連結金具２２０は、屋根瓦２０１の係止突起２１０に固定されている。太陽電池パネル１は、フレーム１０に設けられた突起１０−１を連結金具２２０の係止爪２５２に係止することで、連結金具２５２に取り付けられる。
【００９９】
図１８は、太陽電池モジュールの取り付け方法により屋根瓦上に取り付けた太陽電池パネル（太陽電池システム）を示す概略図である。ここでは、複数の屋根瓦２０１上に設置された２×２の太陽電池パネル１を示している。分かりやすさのために、一部部材を透かして示している。太陽電池パネル１は、第１の実施の形態〜第５の実施の形態の技術が用いられている。
【０１００】
本発明により、これらの太陽電池パネル（太陽電池システム）は、施工作業をより容易、より安全、より確実に施工し、施工現場での作業効率を向上することが可能となる。また、アースケーブルの接続を容易にし、接続ケーブルの耐候性を高め、接続ケーブルをより容易且つ確実に結線することができる。そして、低コストで全体の強度を高めることができる。
【図面の簡単な説明】
【０１０１】
【図１】図１（ａ）は、本発明の太陽電池パネルを屋根に載せた場合の概略図である。図１（ｂ）は、本発明の太陽電池パネルを示す構成図である。
【図２】図２（ａ）は、本発明の太陽電池パネルの第１の実施の形態を示す斜視図である。図２（ｂ）は、化粧板の取り付け部分の詳細を示す斜視図である。
【図３】図３は、従来知られた方法による太陽電池パネル同士の電気的な接続である。
【図４】図４（ａ）は、本発明の太陽電池パネルの第２の実施の形態を示す斜視図である。図４（ｂ）は、圧着端子の構成を示す斜視図である。図４（ｃ）は、圧着端子を太陽電池パネルにはめ込むときの様子を示す断面図である。
【図５】図５は、従来知られた方法による列の一番端の太陽電池パネル同士の電気的な接続である。
【図６】図６（ａ）は、本発明の太陽電池パネルの第３の実施の形態を示す斜視図である。図６（ｂ）は、切欠きの形状を示す図である。図６（ｃ）は、切欠きの形状を示す図である。図６（ｄ）は、本発明の太陽電池パネルを屋根に載せた場合のＸ方向から見た概略図である。
【図７】図７（ａ）は、従来の太陽電池パネルを示す斜視図である。図７（ｂ）は、従来の太陽電池パネルを屋根に載せた場合のＸ方向から見た概略図である。
【図８】図８（ａ）は、本発明の太陽電池パネルの第４の実施の形態に用いる接続ケーブルを示す構成図である。図８（ｂ）は、接続ケーブルの詳細を示す図である。
【図９】図９は、結束バンドの詳細を示す図である。
【図１０】図１０は、本発明における太陽電池パネルと接続ケーブルとの接続を示す構成図である。
【図１１】図１１（ａ）は、従来の並列ケーブルを示す図である。図１１（ｂ）は、従来の直列ケーブルを示す図である。
【図１２】図１２（ａ）は、本発明の太陽電池パネルの第５の実施の形態を示す斜視図である。図１２（ｂ）は、図１２（ａ）におけるＥＥ断面を示す。図１２（ｃ）は、図１２（ｂ）におけるＦ方向から見た図である。
【図１３】図１３（ａ）は、従来の太陽電池パネルを示す斜視図である。図１３（ｂ）は、従来の太陽電池パネルを示す断面図である。
【図１４】図１４は、太陽電池モジュールの取り付け方法に用いる屋根瓦を示す斜視図である。
【図１５】図１５は、太陽電池モジュールの取り付け方法に用いる連結金具を示す斜視図である。
【図１６】図１６は、太陽電池モジュールの取り付け方法により屋根に取り付けた屋根瓦を示す斜視図である。
【図１７】図１７は、太陽電池モジュールの取り付け方法により屋根瓦上に取り付けた太陽電池パネルを示す断面図である。
【図１８】図１８は、太陽電池モジュールの取り付け方法により屋根瓦上に取り付けた太陽電池パネルを示す概略図である。
【符号の説明】
【０１０２】
１、１０１    太陽電池パネル
２    屋根
３    １０と、電力を取り出す端子（プラス及びマイナス）を収めた１３
１０、１１０    フレーム
１０ａ、１０ｂ    端部
１０ｃ、１０ｄ    穴
１１、１１ａ、１１ｂ    切欠き
１２、１１２    太陽電池モジュール
１３    端子箱
２１、１２１、１２１ａ    接続ケーブル
２２、１２２    アースケーブル
２３    接続ケーブル２３
２３ａ、１２３ａ    並列ケーブル
２３ａ１、２３ａ２    ケーブル
２３ｂ、１２３ｂ    直列ケーブル
２４、２４ａ、２４ｂ、２５、２５ａ、２５ｂ、１２４ａ、１２４ｂ、１２５ａ、１２５ｂ    コネクタ
２６    分岐ターミナル
２６ａ、２６ｂ    ケーブル
２７    結束バンド
２８    結束バンド２７は、
２７ａ    バンドＡ
２７ｂ    スリット
２７ｃ    バンドＢ
２７ｄ    掛部
３０    化粧板
３１    化粧板本体
３２    嵌め込み部
３３、３４    穴
３５、１３５    ビス
４１、１３７    圧着端子
４２    押え部
４３    第２平板部
４４    第１平板部
４５    接触面
４６    圧着部
５１    ロッド
５２    ロックピン
６１、１６１    野地板
６２、１６２    桟木
６３、１６３    瓦
１３１    アースケーブル
２０１    屋根瓦
２０２    野地板
２０２ａ    桟木
２０３    釘穴
２０４    尻部水返し
２０５    係止突起
２０６、２０６ａ、２０６ｂ、２０８    水返し
２０７    被係止部
２０８    
２０９ａ、２０９ｂ    水返し側頭部
２０９ｃ    中央頭部
２１０    係止突起
２１０ａ    開口
２１１    支持突起
２２０    連結金具
２３０    底面部
２３１    開口部
２３２    第１舌片状弾性部
２３３    第２舌片上弾性部
２３２ａ、２３３ａ先端部
２４０    長辺側壁部
２４１    平面部
２４２    垂直面
２５０    第１短辺側壁部
２５１    第１短辺側壁部本体
２５２    係止爪
２６０    第２短辺側壁部
【図１】
2006057321.tif 000003
【図２】
2006057321.tif 000004
【図３】
2006057321.tif 000005
【図４】
2006057321.tif 000006
【図５】
2006057321.tif 000007
【図６】
2006057321.tif 000008
【図７】
2006057321.tif 000009
【図８】
2006057321.tif 000010
【図９】
2006057321.tif 000011
【図１０】
2006057321.tif 000012
【図１１】
2006057321.tif 000013
【図１２】
2006057321.tif 000014
【図１３】
2006057321.tif 000015
【図１４】
2006057321.tif 000016
【図１５】
2006057321.tif 000017
【図１６】
2006057321.tif 000018
【図１７】
2006057321.tif 000019
【図１８】
2006057321.tif 000020